(57)【要約】【課題】浴室の排水口は髪の毛の他に垢やゴミも一緒に溜まるため、どうしても不衛生であり、特に詰りの原因となるのはそのほとんどが多量の髪の毛であった。よって排水口の掃除は頻度も多く家事の大きな負担であった。浴室に設置するプラスチック製等のゴミ箱に髪の毛を捨てることで、排水口に溜まる髪の毛の量は減らせるが、ゴミ箱はやはり不衛生であり掃除の負担も多くあった。【解決手段】一枚のシートで構成され、上部にはゴミ貼付け部、下部にはゴミ収集部を設け、ゴミ貼付け部とゴミ収集部の間には、左右に切込み部を設け、ゴミ収集部の先端部には係止部を設け、ゴミ収集部の先端を中央に丸め、係止部により一時的に筒状にし、そこに下方からゴミ袋を被せた浴室用ゴミ収集具。【選択図】図３
2018076173.tif 000002
【特許請求の範囲】
【請求項１】
一枚のシートで構成され、上部にはゴミ貼付け部、下部にはゴミ収集部を設け、ゴミ貼付け部とゴミ収集部の間には、左右に切込み部を設け、ゴミ収集部の先端部には係止部を設け、ゴミ収集部の先端を中央に丸め、係止部により一時的に筒状にし、そこに下方からゴミ袋を被せた浴室用ゴミ収集具。
【請求項２】
切込み部を右か左のどちらか一方のみとし、切込み部の長さを長めに設けた請求項１の浴室用ゴミ収集具。
【発明の詳細な説明】
【技術分野】
【０００１】  本発明は浴室で抜け落ちた髪の毛を排水口に流す前に、ゴミ袋に収集して捨てることのできる浴室用ゴミ収集具に関するものである。
【背景技術】
【０００２】  従来、浴室で抜けた髪をそのまま排水口に流していたため、排水口には多量の髪の毛、垢、ゴミなども一緒に溜まっていた。また、排水口に直接髪の毛を流さないようにするには、浴室に設置したプラスチック製等のゴミ箱に捨てるなどしていた。
【発明の概要】
【発明が解決しようとする課題】
【０００４】  浴室の排水口は髪の毛の他に垢やゴミも一緒に溜まるため、ぬめり等が発生し不衛生であり、特に詰りの原因となるのは、そのほとんどが多量の髪の毛であった。多量の髪の毛が溜まることによって、排水口の掃除は頻度も多く、ぬめりを触ることに抵抗もあり、家事の大きな負担であった。プラスチック製等の浴室用ゴミ箱に髪の毛を捨てることで、排水口に溜まる髪の毛の量は減るが、湿度の高い浴室の床の片隅に長時間置いてあることでやはり不衛生であり、同じくぬめりのあるゴミ箱を触ることに抵抗もあり、掃除の負担も多くあった。また排水口やゴミ箱に溜まったゴミを捨てる際に、ゴミそのものは水分を多量に含んでいるため、そのまま捨てることは環境に多少なりとも負荷がかかっていた。
本発明は以上の問題点を解決するためになされたものである。
【課題を解決するための手段】
【０００５】  一枚のシートで構成され、上部にはゴミ貼付け部、下部にはゴミ収集部を設け、ゴミ貼付け部とゴミ収集部の間には、左右に切込み部を設け、ゴミ収集部の先端部には係止部を設け、ゴミ収集部の先端を中央に丸め、係止部により一時的に筒状にし、そこに下方からゴミ袋を被せた浴室用ゴミ収集具。
又、請求項２のように切込み部を右か左のどちらか一方のみとし、切込み部の長さを長めに設けた浴室用ゴミ収集具。
【発明の効果】
【０００６】  髪の毛を排水口に流す前に収集し捨てることができるため、排水口に流れる髪の毛の量を減らすこととなり、排水口の掃除の回数を減らすことが出来る。壁面を濡らし、水滴による張力により本体を貼付けて設置するため、湿度の高い浴室内でも比較的高い位置に設置することができ、ゴミ袋は宙に浮いた状態のため、ゴミ袋内の髪の毛の水滴は自然に落ち、溜まった髪の毛を水が切れる程度、あるいは完全に乾燥させてから廃棄すれば、地球環境にも配慮することができる。ほぼ髪の毛だけしか溜まらないためゴミ袋そのもののぬめりは少なく、ゴミ袋の廃棄に手指はさほど汚れない。ゴミ袋を外した状態では、本体は壁面に全面が張り付いた状態であり、掃除も楽で衛生的である。
【図面の簡単な説明】
【０００７】
【図１】本発明の平面図である。
【図２】本発明を組み立てた状態の要部拡大図である。
【図３】本発明の使用状態を示す斜視図である。
【図４】本発明の使用状態を示す斜視図である。
【図５】本発明の使用状態を示す斜視図である。
【図６】本発明を壁に取り付けた斜視の状態図である。
【図７】本発明の他の実施例を示す平面図である。
【図８】本発明の他の実施例を示す斜視図である。
【発明を実施するための形態】
【０００８】  以下、本発明の実施の形態を説明する。
（イ）本発明のシート（１）は、耐水性・柔軟性のある素材でできた平面の一枚のシート形状である。
（ロ）切込み部（６）によりゴミ貼付け部（２）とゴミ収集部（３）に分かれる。
（ハ）切込み部（６）は、シート（１）の上下中心部より下方左右にあり、左右の高さは平行である。本実施例図１の切込み部（６）は、線状の切込みが入っている。
（ニ）ゴミ収集部（３）の左右先端部分には、係止部（４）（５）を設け、係止部（４）は縦の切込みとし、係止部（５）はかぎ型の切込みとなっている。
（ホ）髪の毛を収集するゴミ袋（７）は別途用意して、上部円周口部にゴム等が施され伸縮性があり、網状の台所排水口用ゴミ袋（７）などを使用する。
（ヘ）他の実施例として、図７および図８のシート（１）は、耐水性・柔軟性のある素材でできた平面の一枚のシート形状である。
（ト）切込み部（８）は、ゴミ貼付け部（２）の下面（９）が切込みとなっていて、ゴミ貼付け部（２）とゴミ収集部（３）に分かれる。
（チ）切込み部（８）は、シート（１）の上下中心部より下方にあり、右か左のどちらか一方のみに切込み部（８）を設けたものであり、この場合の切込みの長さは長めに設ける構造としている。
（リ）ゴミ収集部（３）の左右先端部分には、係止部（４）（５）を設け、係止部（４）は縦の切込みとし、係止部（５）はかぎ型の切込みとなっている。
本発明は以上のような構造である。
【０００９】  本発明を使用するときは、まず浴室の壁面を水で濡らし、図１に示すように本体シート（１）を水滴の張力により壁面に貼付ける。次に図２に示すように、切込み部（６）により分離したゴミ収集部（３）の左右両先端部分を寄せ、係止部（４）（５）により一時的に丸い筒状にし、図３に示すようにゴミ収集部（３）に台所排水口用ゴミ袋（７）を下方から被せていく。
ここで係止部（４）（５）とは、要するに一時的に筒状にするためのものであればいかなるものでもよい。具体的には、例えば切込み式フック、接着剤、両面テープ等を使用してもよい。本実施例での係止部（４）（５）は線状の切込みによる切込み式フックであり、図２はそれを拡大して表したものである。
ゴミ袋（７）を被せた後は、係止部（４）（５）を外す。その際切込み部（６）があることでゴミ貼付け部（２）が壁面からはがれないようになっている。
また図３に示すようにゴミ収集部（３）が元に戻ろうとする力と、上部円周口部にゴム等が施されているゴミ袋（７）の伸縮性を利用し、ゴミ袋（７）は固定され下に落ちない。
【００１０】  図４に示すように、洗髪中や身体を洗っている際に身体各部に貼付いた髪の毛や、浴室の各所に貼付いた髪の毛を手指ではがすなどしてゴミ貼付け部（２）に一時的に貼付け、髪の毛を収集する。ある程度貼付けたらゴミ貼付け部（２）の中心付近に指で適当に集め、図５に示すように弱めのシャワーを上方向より下方向にかけることで、収集した髪の毛はゴミ貼付け部（２）からゴミ収集部（３）に設置されたゴミ袋（７）の中に落ちていく。
入浴後、すぐにゴミ袋（７）を外して廃棄することもできるが、数時間放置することで適度に乾燥し、その後廃棄することもできる。ゴミ袋（７）を外せばゴミ収集部（３）は平面の状態となり、壁面に貼付いた状態のまま、洗剤を含ませたスポンジ等で軽くなで洗いするなど簡単に掃除することができる。設置場所は密着できる状態のタイル等であればどこでも簡単に設置でき、かつ自由に移動することができる。順序は組み立てたうえで貼付けても良い。
【００１１】    他の実施例を使用するときは、まず浴室の壁面を水で濡らし、図７に示すように本体シート（１）を水滴の張力により壁面に貼付ける。次に図８に示すように、切込み部（８）により分離したゴミ収集部（３）の先端部分を丸めるようにして反対側に寄せ、係止部（４）（５）により一時的に筒状にし、台所排水口用ゴミ袋（７）を下方から被せていく。
ここで係止部（４）（５）とは、要するに一時的に筒状にするためのものであればいかなるものでもよい。具体的には、例えば切込み式フック、接着剤、両面テープ等を使用してもよい。他の実施例での係止部（４）（５）は線状の切込みによる切込み式フックである。
ゴミ袋（７）を被せた後は、係止部（４）（５）を外す。その際切込み部（８）があることでゴミ貼付け部（２）が壁面からはがれないようになっている。
また図８に示すようにゴミ収集部（３）が元に戻ろうとする力と、上部円周口部にゴム等が施されているゴミ袋（７）の伸縮性を利用し、ゴミ袋（７）は固定され下に落ちない。
【符号の説明】
【００１２】１  シート、２  ゴミ貼付け部、３  ゴミ収集部、４  係止部、５  係止部、６  切込み部、７  ゴミ袋、８  切込み部、９  下面
【図１】
2018076173.tif 000003
【図２】
2018076173.tif 000004
【図３】
2018076173.tif 000005
【図４】
2018076173.tif 000006
【図５】
2018076173.tif 000007
【図６】
2018076173.tif 000008
【図７】
2018076173.tif 000009
【図８】
2018076173.tif 000010